(57)【要約】【課題】ベランダの手摺りに掛けた布団に手摺りの汚れが付着しないようにして、しかも、布団の内側にも十分な風通しを確保する必要がある。手摺りに器具を装着する場合、器具は手摺りに固定され、着脱が容易で、掛けた布団がずり落ちない特長を備えている必要がある。【解決手段】手摺りの縦桟を両側で、手摺りの上端から少し下がった位置で挟むように、コの字型の一対の当接部を形成し、この両端を立ち上げて、中間を内側に屈折させた形状の保持部を形成する。保持部の先端に軸穴を設け、回転自在に軸着し、手摺りに対する着脱を容易にする。【選択図】　　図１
2004016788.tif 000002
【特許請求の範囲】
【請求項１】
手摺りの縦桟に当接するコの字型に形成した当接部（１）、（２）の両端を立ち上げて、中間を内側に屈折させた保持部（３）、（４）および（５）、（６）の両端に軸穴（７）を設け、軸芯（８）で左右の保持部（３）、（５）および（４）、（６）を回転自在に軸着し、保持部（３）、（４）および（５）、（６）の間を補強材（９）で補強したことを特徴とする手摺り挟持具。
【発明の詳細な説明】
【０００１】
【発明の属する技術分野】
本発明は、布団をベランダの手摺りに掛けて日干しする際に、布団に手摺りの汚れが付着するのを防止する用具に関している。
【０００２】
【従来の技術】
布団を干すときは、殆どの人がベランダの手摺りに掛けて干しているが、ベランダの手摺りは汚れているので布団を掛ける前に汚れを拭き取る必要がある。この拭き取り作業は以外に手間が掛かり面倒である。拭き取り作業を省くために、シーツや不要の布を手摺りに掛ける方法もあるが、風通しが悪くなり、汚れたシーツや布を洗う手間が増える。
【０００３】
干し物で重要なのは、風通しを確保することである。特に、布団のように厚く重量のあるものは手摺りに密着しやすく、内側への風通しが悪いので、布団が手摺りに密着しないように工夫する必要があるが、従来の技術では、適当な方法が取られていない。
【０００４】
【発明の解決しようとする課題】
前記のように、ベランダの手摺りに掛けた布団に手摺りの汚れが付着しないようにして、しかも、布団の内側にも十分な風通しを確保する必要がある。さらに、手摺りに装着する器具は、手摺りに固定され、着脱が容易で、掛けた布団がずり落ちない特長を備えている必要がある。また、手摺りは金属製が多く滑りやすいので、従来、布団を掛けたときには布団用の大きいクリップで布団を挟んで手摺りに止めているが、手摺りの滑りやすさに対して不十分であり、布団が滑り落ちる問題は完全に解決できていない。
【０００５】
【課題を解決するための手段】
このような課題を解決するために、本発明においては、ベランダの手摺りに新たに取り外し可能な枠を設けることにし、この枠に布団を掛けることで汚れの付着防止、風通しの確保、布団の滑り落ち防止の課題を解決することとしている。
【０００６】
まず、手摺りの縦桟を両側で、手摺りの上端から少し下がった位置で挟むように、コの字型の当接部１、２を背中合わせになるように設置し、当接部１、２の両端を立ち上げて、中間を内側に屈折させた形状の保持部３、４および４、５を形成する。保持部３、４、５、６の先端に軸穴７を設け、軸芯８で保持部３、５の軸穴７と保持部４、６の軸穴７を回転自在に軸着することで、手摺りに対する着脱を容易にしている。更に、保持部３、４および５、６の間を補強材９で補強することで製品の強度を高めている。
【０００７】
【発明の実施の形態】
前記説明の通り構成された本発明の手摺り挾持具は、一枚の布団を日干しする際に、２個又は３個の手摺り挾持具を使用することが適当である。
【０００８】
材質としては、合成樹脂製が適しているが、木製、金属製等他の材質も利用できる。
【０００９】
本発明の手摺り挾持具は、２連又は多連の形状とすることもできる。
【００１０】
バネ機構を有する軸芯を使用し、手摺りを押さえる強度を増すこともできる。
【００１１】
布団を日干ししている際に、本発明の手摺り挾持具が手摺りから外れないように、向かい合ったコの字型の当接部を固定したり、左右の保持部を固定することもできる。
【００１２】
当接部や保持部の形状を変更することができ、手摺りへの密着度を増すこともできる。
【００１３】
【実施例】
実施例について図面を参照して説明する。図１は本発明の手摺り挾持具の斜視図である。左右の手摺り挾持具を組み合わせて１個の手摺り挾持具している。左側の手摺り挾持具は、コの字型の当接部１の平板部分がベランダの手摺りに当たり、右側の手摺り挾持具は、コの字型の当接部２の平板部分がベランダの手摺りに当たりる形状となっている。左右の手摺り挾持具の当接部１、２の両端を立ち上げて、中間を内側に屈折させた形状の保持部３、４および４、５を形成している。各保持部３、４、５、６の先端に軸穴７を設けて、軸芯８で保持部３、５の軸穴７と保持部４、６の軸穴７を回転自在に軸着している。このため、手摺りへの着脱を容易である。また、バネを使用して挾持力を高めることもできる。保持部３、４および５、６の間を補強材９で補強されている。
【００１４】
図２は本発明の手摺り挾持具の正面図である。左側の手摺り挾持具を正面から見た状態を示している。当接部１の両側から保持部３、４が立ち上がり、保持部３、４の間は補強材９で補強されている。
【００１５】
図３は本発明の手摺り挾持具の側面図である。左側と右側の手摺り挾持具を組み合わせて一個の手摺り挾持具の完成品としている。左側の当接部１から立ち上がっている保持部４の先端の軸穴７と右側の当接部２から立ち上がっている保持部６の先端の軸穴７が合わさっている状態を示している。
【００１６】
図４は本発明の手摺り挾持具の各部品の説明図である。左側の手摺り挾持具を形成する当接部１、保持部３、４、軸穴７、補強材９の向きを変えると右側の手摺り挾持具となり、当接部２、保持部５、６、軸穴７、補強材９と表示され、全く同一の部品である。当接部１、２の平面部分には滑り止めと縦桟への当たりを和らげるクッション材を張ることも考えられる。組合わさった各軸穴７を軸芯８で回転自在に軸着する。
【００１７】
図５は本発明の手摺り挾持具の使用例である。手摺り１０に２個の手摺り挾持具を装着している。当接部１、２は手摺り１０の縦桟に当たり、保持部３、４、５、６の角の部分が上に持ち上がるので、布団の滑りを防止できる。
【００１８】
【発明の効果】
手摺り挾持具の働きで布団を手摺りから浮かした状態で干すことができるので、手摺りの汚れが布団に付着することがなく、風通しも良くなる。
【００１９】
布団の滑り落ちを防止することができる。
【００２０】
同一形状の手摺り挾持具を組合わせることで一個の完成品を形成するため、コストが安く済む、
【図面の簡単な説明】
【図１】本発明の手摺り挾持具の斜視図である。
【図２】本発明の手摺り挾持具の正面図である。
【図３】本発明の手摺り挾持具の側面図である。
【図４】本発明の手摺り挾持具の各部品の説明図である。
【図５】本発明の手摺り挾持具の使用例である。
【符号の説明】
１、２　　当接部
３、４、５、６　　保持部
７　　軸穴
８　　軸芯
９　　補強材
１０　　手摺り
【図１】
2004016788.tif 000003
【図２】
2004016788.tif 000004
【図３】
2004016788.tif 000005
【図４】
2004016788.tif 000006
【図５】
2004016788.tif 000007